(57)【特許請求の範囲】
【請求項１】
攪拌原料を注入する混合容器（１５）内を攪拌と昇降自在となる混合機本体（１）は、複数の縦枠（１９）（１９）と横枠（２０）（２０）とを以て方形状に枠組し、左右の該縦枠（１９）（１９）の間に昇降する昇降横枠（２）を架設し、該昇降横枠（２）には、上部に第１主モーター（３）と第２副モーター（１０）の２台のモーターを載置したものにおいて、該第１主モーター（３）には、下方の昇降横枠（２）に設けた軸受部（４）に挿通されている外周回転軸（５）を連結接続し、該外周回転軸（５）には、下部に位置する混合容器（１５）の内部外周を混合攪拌する攪拌機（１４）を連結し、該攪拌機（１４）には、左右に長短の回転腕杆（６）（６）を接続し、該回転腕杆（６）（６）には、両端に垂直攪拌軸（７）（７）を縦設し、該垂直攪拌軸（７）（７）には、各々下方に垂下した数条の爪片を設けた攪拌翼（８）（８）を装着し、該第２副モーター（１０）には、該軸受部（４）と該外周回転軸（５）との内部に挿通されている内周回転軸（１１）を縦設し、該内周回転軸（１１）には、下端に該混合容器（１５）の内部の中心のみを混合攪拌する中心攪拌翼（１２）を装設したことを特徴とする合成樹脂混合攪拌装置。
【発明の詳細な説明】
【０００１】
【産業上の利用分野】
本発明は、各種の合成樹脂成型機に供給する樹脂原料となるペレツトを混合容器に注入後、混合容器の内部の２台のモーターによって平均に混合攪拌することを特徴とした合成樹脂混合攪拌装置に関するものである。
【０００２】
【従来の技術】
一般にこの種の混合攪拌装置は、昇降自在となるモーターの回転軸に連結した攪拌機を、左右の垂直攪拌軸に設けた各攪拌翼の回動によって樹脂原料及び着色剤等を混合攪拌する装置が使用されている現状である。
【０００３】
【発明が解決しようとする課題】
上記従来の技術で使用されている混合攪拌装置における１台のモーターを使用するものでは、モーター自体が著しく大型化されると共に、混合容器の内面の中心を除いた外周だけを混合するのみで、該混合容器の中心部分を平均に攪拌混合することができないと云う問題点があった。
本発明は、この様な従来の問題点を解決するものであって、その主たる目的とする所は、昇降する第１主モーターと第２副モーターとの２台のモーターを同芯軸で回転させて設置面積を小さくし、外周の回転軸に設けた攪拌翼で混合容器の外周部分を混合し、内周回転軸の中心攪拌翼で混合容器の中心部分を充分に攪拌混合するようにした混合攪拌装置を提供しようとしたものである。
【０００４】
【課題を解決するための手段】
上記目的を達成するために、本発明の混合攪拌装置は、複数の縦枠と横枠とで方形状に枠組し、左右の横枠間に昇降横枠を架設してある。該昇降横枠の上方に第１主モーターと第２副モーターの２台のモーターを載置してある。該第１主モーターには、該昇降横枠の上部の軸受部を挿通した外周回転軸を接続する。また、該外周回転軸には、混合容器の外周を混合する攪拌機を連結してある。第２副モーターの内周回転軸は、該外周回転軸の内芯に挿通され、その内周回転軸には、下方の中央のみを攪拌する中心攪拌翼を装設したことを特徴としている。
【０００５】
【実施例】
次に、本発明の実施例を図面について説明すると、図１、図３において混合機本体（１）は、四隅の縦枠（１９）（１９）……と前後左右の横枠（２０）（２０）……を以て方形状に枠組されている。前記縦枠（１９）（１９）の間には、立設した誘導杆に上下に昇降する昇降横枠（２）を架設してある。該昇降横枠（２）には、上部に第１主モーター（３）と第２副モーター（１０）の２台のモーターを載置してある。
【０００６】
前記第１主モーター（３）には、下方の昇降横枠（２）に設けた軸受部（４）に挿通されている外周回転軸（５）を連結接続してある。該外周回転軸（５）には、下部に位置する移動自在の大小各種の円筒形よりなり、混合容器（１５）の内部外周を混合攪拌する攪拌機（１４）を連結してある。前記攪拌機（１４）には、左右に長短の回転腕杆（６）（６）に接続している垂直攪拌軸（７）（７）を縦設してある。該垂直攪拌軸（７）（７）には、各々に下方に垂下した数条の爪片を設けた攪拌翼（８）（８）を着脱自在に装着してある。
【０００７】
該第２副モーター（１０）は、該軸受部（４）と該外周回転軸（５）との内部に挿通されている内周回転軸（１１）を縦設してある。該内周回転軸（１１）には、下端に該混合容器（１５）の内部中心のみを混合攪拌する中心攪拌翼（１２）を装設してある。符号（１６）は、該混合容器（１５）の底部（１７）に突設している分離用突起を示したもので、（２１）・（２２）は、各々の減速機等を示したものである。
【０００８】
【作用】
本発明は、上記のように構成されているので、今この混合攪拌装置の用法を説明すると、各種の原料タンクよりペレツト状の各種樹脂原料と着色剤等を該混合容器（１５）内に供給する。この時、第１主モーター（３）と第２副モーター（１０）とは、共に上昇位置で停止している。その後、昇降横枠（２）の下降作動による第１主モーター（３）と第２副モーター（１０）の回転で、第１主モーター（３）に連結している該攪拌機（１４）の攪拌翼（８）（８）が該混合容器（１５）内部の外周部分を混合攪拌し、第２副モーター（１０）に連結している内周回転軸（１１）の中心攪拌翼（１２）によって該混合容器（１５）の内部の中心部分を混合攪拌して全体を平均に混合するものである。その後攪拌混合した後には、各モーターの停止と共に該昇降横枠（２）の上昇で該混合容器（１５）は移動可能となる。上記の操作を繰り返して各種原料等を攪拌混合するものである。
【０００９】
【発明の効果】
本発明は、以上説明したように構成されているので、従来の大型で重量のある１台のモーターを使用したものと比較して見ると、小型で軽量の２台のモーターを使用することで非常に操作が容易で大変に経済的となると共に、２台のモーターの回転によって混合容器の内部全体を均一に攪拌混合できる効果がある。そして、第１主モーターは、外周回転軸に接続した左右の長短の回転腕杆の垂直攪拌軸に設けた攪拌翼によって、混合容器内の外周部分を確実に混合攪拌できる効果がある。また、第２副モーターは、該外周回転軸の内部中心部に挿通した内周回転軸を設け、その内周回転軸の下端に中心攪拌翼を装設したことで、外周回転軸の内部を挿通した内周回転軸は、回転部分を著しく小型化でき、且つ内周回転軸の中心攪拌翼によって混合容器内の中心部を確実に混合攪拌して、混合容器の内部を平均に混合して攪拌効果を高揚できる効果がある。
【図面の簡単な説明】
【図１】本発明の一部欠除した全体の正面図である。
【図２】本発明の攪拌容器本体の一部欠除した正面図である。
【図３】同じく本発明の一部欠除した全体の側面図である。
【図４】本発明のモーター部分の要部の一部欠除した正面図である。
【符号の説明】
１          混合機本体
２          昇降横枠
３          第１主モーター
４          軸受部
５          外周回転軸
６          回転腕杆
７          垂直攪拌軸
８          攪拌翼
１０        第２副モーター
１１        内周回転軸
１２        中心攪拌翼
１４        攪拌機
１５        混合容器
１６        分離用突起
１９        縦枠
２０        横枠
【図１】
0004102948.tif 000002
【図２】
0004102948.tif 000003
【図３】
0004102948.tif 000004
【図４】
0004102948.tif 000005